(57)【特許請求の範囲】
【請求項１】
経糸と緯糸から筒状に製織したジャケットにライナー層が内貼りされ、かつ非通水時は扁平化されている消防ホースであって、前記ジャケットの織組織が２／１、２／２または３／３の綾織であると共に、前記緯糸の繊度が１１００ｄｔｅｘ以上、該緯糸の打込み数が（３０本／５０ｍｍ幅）以上、（６０本／５０ｍｍ幅）以下であり、かつ、前記ジャケットの外表面に撥水剤がコーティングされてなることを特徴とする消防ホース。
【請求項２】
前記撥水剤がシリコーンである請求項１に記載の消防ホース。
【発明の詳細な説明】
【０００１】
【発明の属する技術分野】
本発明は消防ホースに関し、さらに詳しくは、キンクを発生しにくくした消防ホースに関する。
【０００２】
【従来の技術】
消火作業中において、消防ホースは一方の端部を消火栓に連結し、他方の端部に火災現場まで順次必要な本数を連結するようにしながら展張され、最後の消防ホース端部にノズルを連結して放水する。ノズルは火災状況に応じて色々な場所へ移動させるため、その移動に伴って消火ホースも引きずり廻されながら地上等を移動する。
【０００３】
上記のような消火作業の過程で、消防ホースに何らかの理由により極端な曲げ荷重が加わると、図３に示すように、消防ホース１の湾曲部の内周側にＶ字状に折れ曲がったキンクＫが発生することがある。このようなキンクＫが発生すると、消防ホース１の通水面積が実質的にゼロになったり、或いは小さく絞られた状態になるため、通水が停止してしまったり、或いは通水量が極端に減少して、以後の消火作業が出来なくなるという問題があった。
【０００４】
【発明が解決しようとする課題】
本発明の目的は、上述した従来の問題を解消し、キンクを発生しにくくした消防ホースを提供することにある。
【０００５】
【課題を解決するための手段】
上記目的を達成する本発明の消防ホースは、経糸と緯糸から筒状に製織したジャケットにライナー層が内貼りされ、かつ非通水時は扁平化されている消防ホースであって、前記ジャケットの織組織が２／１、２／２または３／３の綾織であると共に、前記緯糸の繊度が１１００ｄｔｅｘ以上、該緯糸の打込み数が（３０本／５０ｍｍ幅）以上、（６０本／５０ｍｍ幅）以下であり、かつ、前記ジャケットの外表面に撥水剤がコーティングされてなることを特徴とするものである。
【０００６】
消防ホースの湾曲内周面に起こるキンクは、Ｖ状の頂点に相当する１箇所に応力が集中するために発生する。こうしたキンクは、非通水時は偏平化されて巻かれている消防ホースだから発生する。しかし、上記本発明の消防ホースによれば、ジャケットを２／１、２／２または３／３の綾織にしているため、特に、織組織点が平織の場合に比べて減少し、そのため応力が分散されやすくなり、しかも緯糸の５０ｍｍ幅当たりの打込み数を３０本以上６０本以下と密にしていることにより、ホース湾曲内周面の変形を１箇所に集中させず多数の各緯糸に分散吸収させて、キンクを発生しにくくすることができる。
【０００７】
また、ジャケット外表面に撥水剤をコーティングしていることにより、消防ホースの外表面が地上の水膜で濡らされることがなくなり、その濡れに伴う摩擦抵抗の増大を招かないため、地上を引きずり廻されるときの摩擦力による曲げ作用を受けなくなり、一層キンク防止作用を向上することができる。
【０００８】
【発明の実施の形態】
本発明において、消防ホースの骨格をなすジャケットは、経糸と緯糸から筒状に織製され、かつ織組織を前述したように２／１、２／２または３／３の綾織にするように織製される。経糸および緯糸は、合成繊維であっても、天然繊維であってもよく、またフィラメント糸であっても、紡績糸であってもよい。
【０００９】
綾織組織は平織組織に比べて組織点が減少するため、消防ホースが曲げ作用を受けたとき、その曲げ抵抗を小さく曲げやすくし、応力をホース長手方向に分散させやすくする。そのためキンクを発生しにくくすることができる。また、綾織組織の構造は、「ホース外側浮き／ホース内側沈み」の綾織として表示すると、２／１、２／２、３／３の群から選ばれた織構造のものを使用することが上述した効果の点で重要である。中でも特に２／１綾構造とするのがよい。
【００１０】
さらに、上記綾織組織において、緯糸の５０ｍｍ幅当たりの打込み数を３０本以上６０本以下、好ましくは３５本以上６０本以下にする。従来の消防ホースに使用されているジャケットにおける緯糸の５０ｍｍ幅当たりの打込み数は２５本程度であるので、これよりも密にしていることが特徴である。このように緯糸の５０ｍｍ幅当たりの打込み数を３０本以上６０本以下と密にしたため、消防ホースが曲げ作用を受けたとき、湾曲内側面の変形を１か所に集中させず、多数の各緯糸に分散吸収させることができる。そのため上記綾織組織にしたことと相まって、本発明の消防ホースにキンクを一層発生しにくくすることができる。
【００１１】
単位幅当たりの緯糸の打込み数は、ホースの呼び径により、呼び径が大きいほど多くすることが望ましい。すなわち、特に呼び径が５０ｍｍ以上から更に大きくなるにつれて緯糸の５０ｍｍ幅当たりの打込み数は３５本以上とし、さらに好ましくは３８本以上にするとよい。緯糸の５０ｍｍ幅当たりの打込み数の上限は６０本程度に設定する。
【００１２】
緯糸の繊度としては、１１００ｄｔｅｘ以上の糸を用いることが重要であり、ホース湾曲内周面の変形を１箇所に集中させず、多数の各緯糸に対して、より効果的に分散吸収してキンクを発生しにくくする効果上、１１００ｄｔｅｘ以上の太さの緯糸を用いるのである。
【００１３】
本発明においては、さらに、上記のようにジャケット構造を特定の綾織組織にし、かつ特定数以上に緯糸の打込み数を密にすることに加えて、ジャケット外表面に撥水剤をコーティングして、さらにキンク防止効果を増大させている。すなわち、火災現場では地上が冠水して水膜を形成していることがあるが、消防ホースが水膜と接触してジャケットが湿潤状態になると、地上を引きずり廻されるときの摩擦抵抗が高くなり、地上から余分の摩擦力を受けてキンクを発生しやすくなる。
【００１４】
上記のようにジャケット外表面に撥水剤をコーティングしておくと、ジャケットが水膜と接触しても常に乾燥状態を維持するため、上記のような摩擦力によるキンクの増大をなくすことができる。
【００１５】
コーティングに使用する撥水剤としてはシリコーンが好ましい。シリコーンの種類は、撥水性を有するものであることが重要であり、撥水性を有するものであればよく、特に限定されないが、好ましくは主鎖がオルガノシロキサン結合─（ＳｉＲ2 Ｏ）n ─からなるシリコーンゴムがよい。
【００１６】
消防ホースが有するキンク防止効果の確認は、図２に示すような測定法によって容易に行うことができる。
【００１７】
まず、対象の消防ホースに水を充填させて、０．４ＭＰａの圧力（水圧）を負荷した状態にし、それを図２のように２枚の板２０，２０の間に挟み、互いに接近させながらホースを湾曲させていき、キンクが発生する直前の最小曲げ半径ｒを測定する（０．４ＭＰａは消防ホースから水を放水するときのノズル出口での水圧に相当する）。その最小曲げ半径ｒが小さいほど、キンクが発生しにくいホースであることを意味する。
【００１８】
本発明の消防ホースによれば、上記最小曲げ半径ｒを２５ｃｍ以下、さらに好ましくは２０ｃｍ以下にすることができる。
【００１９】
図１（Ａ）（Ｂ）は、本発明の消防ホースの実施形態について、非通水時の要部を例示する。
【００２０】
図１（Ａ）（Ｂ）に示すように、消防ホース１は筒状のジャケット２の内面にライナー層３を貼り付け、また外表面には撥水剤４をコーティングするように構成されている。筒状のジャケット２は、多数本の経糸２ａをホース長手方向に環状に配列させ、これらに緯糸２ｂを交差させるように打ち込んで製織されている。緯糸２ｂの挿入方法は、１〜３本の単位で筒状ジャケット２の周方向に連続的に周回するように螺旋状に織り込み、かつ前述した２／１、２／２または３／３の綾織組織を形成するようにする。
【００２１】
ジャケット２の内側に貼り付けられたライナー層３はシール層として設けられたものである。このライナー層３には、塩化ビニル，ポリウレタン，ポリエステル等の軟質樹脂或いは天然ゴム、合成ゴムが使用されている。
【００２２】
撥水剤４は、前述したように消防ホース１が地上の水膜に接触したとき、その水によってジャケット２が湿潤状態にならないように設けたものである。ジャケット２が常に乾燥状態を維持することにより、消防ホース１は高いキンク防止効果を保つことができる。
【００２３】
【発明の効果】
上述したように本発明の消防ホースによれば、ジャケットの織組織を、２／１、２／２または３／３の綾織にしているため、織組織点が平織の場合に比べて減少し応力を分散させやすくし、しかも、特に、前記緯糸の繊度を１１００ｄｔｅｘ以上、該緯糸の５０ｍｍ幅当たりの打込み数を３０本以上６０本以下と密にしていることにより、ホース湾曲内周面の変形を、１箇所に集中させず多数の各緯糸に分散吸収させて、キンクを発生しにくくすることがより効果的にできる。さらに、ホースのジャケット外表面に撥水剤をコーティングすることによって、キンク防止効果が増大されており、すなわち、火災現場では地上が冠水して水膜を形成していることがあるが、本発明の消防ホースでは水膜と接触してもホースジャケットが湿潤状態にならず、その結果、地上を引きずり廻されるときでも摩擦抵抗が高くなることがなく、地上等から余分な摩擦力を受けることによるキンクの発生を防止できるのである。
これらの各効果が相乗的に大きな効果をもたらし、本発明の消防ホースは、顕著にキンクの発生がしにくいものであり、迅速で効果的な消火作業を実現するのである。
【図面の簡単な説明】
【図１】本発明の消防ホースの実施形態について非通水時の要部を示し、（Ａ）は正面図、（Ｂ）は（Ａ）のＸ−Ｘ矢視図である。
【図２】消防ホースのキンク防止効果を測定する方法の説明図である。
【図３】消防ホースに発生するキンクの説明図である。
【符号の説明】
１  消防ホース
２  ジャケット
２ａ  経糸
２ｂ  緯糸
３  ライナー層
４  撥水剤
Ｋ  キンク
【図１】
0005182772.tif 000002
【図２】
0005182772.tif 000003
【図３】
0005182772.tif 000004